(57)【要約】【課題】  動力装置を使用することなく、椅子の上下運動を利用して空気を送り込み、通風効果を具える椅子の自動空気送込み装置を提供する。      【解決手段】  椅子の自動空気送込み装置は、可動板を上下運動する座面下方に連結し、座面と共に上下運動し、かつ可動板状にバネを設置し、また可動板の上下面に各々伸縮する空気袋を設置し、可動板を上下運動すると、一方の空気袋が膨らみ、もう一方の空気袋が縮む。また、上下空気袋には単方向の空気進入口、空気排出口が設置され、各空気袋の空気排出口は椅子の座面、背もたれ面に連通する。これによって、走行中平らでない面を通った時や使用者が座る姿勢を変えた時に座面が上下運動し、それに伴い可動板が上下運動し、上下二つの空気袋のうちの一つの空気袋が空気を排出し、座面、背もたれ面に空気を送り込む。【選択図】図１
0003113451.tif 000002
【実用新案登録請求の範囲】
【請求項１】
下フレーム、上フレーム、上下二つの伸縮する空気袋、上下に可動する可動板及びバネから構成された椅子の自動空気送込み装置において、
箱型枠体で、その内部空間に上下二つの空気袋及びその二つの空気袋の間に設置する可動板を設置し、上空気袋の最上面及び底面は各々最上面と、可動板の上板面に連結し、下空気袋の最上面及び底面は、各々可動板の下板面及び底面に連結され、可動板及び下フレームの間は、上下方向の案内レール構造によって可動板が空間で上下運動する下フレームと、
下フレーム上方の外枠体で、下フレーム内部の可動板及び椅子の座面と連結して連動体を形成し、下フレームに相対して上下運動する上フレームと、
上下の二つの伸縮する空気袋の間に設置して上フレーム及び座面と連結して連動体を形成し、適する高さ内で上下運動する可動板と、
可動板の上下面に設置し、各々単方向の空気進入口と空気排出口を具え、上下運動すると、上下二つのうちの一つに空気が入り、もう一方から空気が排出されるもので、上下両方の空気排出口は、連通管によって椅子の座面と背もたれ面に繋がっており、排出された空気は座面と背もたれ面に設置した通気構造から外に排出される空気袋と、
上フレームと下フレームの間に設置され、座面、上フレーム及び可動板の連動体が下フレームに対して上下運動した時に元の位置に戻すバネから構成され、
上述の構造によって、座面が上下に波動した時、可動板が上下運動し、更に上下二つの空気袋のうちの一つから空気が排出され、別の空気袋には空気が入り、椅子の座面及び背もたれ面に空気を送ることを特徴とする椅子の自動空気送込み装置。
【請求項２】
前記椅子の座面及び背もたれ面に設置された通気構造は、座面、背もたれ面のスポンジ体上に設置された垂直の通気孔もしくはスポンジ体外面を通気布で覆うことを特徴とする請求項１記載の椅子の自動空気送込み装置。
【請求項３】
前記可動板及び下フレームの間に設置下上下方向の案内レール構造は、可動板上外向きに突出した案内凸を複数個設置し、それに対応して下フレーム上に垂直の案内槽を設置し、案内凸が案内槽内で上下運動し、上フレームが複数個の案内凸によって支点となるよう、案内凸上に設置して可動板と共に連動体を形成することを特徴とする請求項１記載の椅子の自動空気送込み装置。
【請求項４】
前記上下二つの空気袋は、単方向の空気進入口と空気排出口、連通管の設置方式、位置に於いて制限しないことを特徴とする請求項１記載の椅子の自動空気送込み装置。
【請求項５】
前記上下二つの空気袋に設置する空気進入口及び空気排出口及び連通管は、露出方式によって座面もしくは背もたれ面内部に連通することを特徴とする請求項４記載の椅子の自動空気送込み装置。
【請求項６】
前記上下二つの空気袋に設置する空気進入口及び空気排出口及び連通管は、収納方式によって座面もしくは背もたれ面内部に連通することを特徴とする請求項４記載の椅子の自動空気送込み装置。
【請求項７】
前記下空気袋の空気排出口及び連通管は、可動板、上空気袋及び上フレームを通過して座面もしくは背もたれ面内部に連通し、上空気袋の空気排出口及び連通管は上フレームを通過して座面もしくは背もたれ面内部に連通することを特徴とする請求項６記載の椅子の自動空気送込み装置。
【考案の詳細な説明】
【技術分野】
【０００１】
本考案は、椅子の自動空気送込み装置に関するもので、特に、動力装置を使用することなく、椅子の上下運動を利用して空気を送り込み、通風効果を具えるものに関する。
【背景技術】
【０００２】
各種車両の椅子もしくはオフィスの椅子に、快適さは大変重要であり、人間工学的設計の他、通風、通気を考慮に入れなければならない。車両椅子の場合、汗、熱が椅子のシートや背もたれ等接触面でスムーズに除去されないと、使用者は非常に不快である。市場では椅子に空気送込み機能を具えたもの(例えば、特許文献１)が出ているが、どれも電気を使用してファンやポンプに空気を送込むものである。
【特許文献１】特開平７−８３５４号公報
【考案の開示】
【考案が解決しようとする課題】
【０００３】
本考案は、上述したような問題点に鑑みてなされたもので、動力装置なしで使用者と椅子の接触面に空気を送込む装置を提供することにある。
【課題を解決するための手段】
【０００４】
本考案は、可動板を上下運動する座面下方に連結し、座面と共に上下運動し、かつ可動板状にバネを設置し、また可動板の上下面に各々伸縮する空気袋を設置し、可動板を上下運動すると、一方の空気袋が膨らみ、もう一方の空気袋が縮む。また、上下空気袋には単方向の空気進入口、空気排出口が設置され、各空気袋の空気排出口は椅子の座面、背もたれ面に連通する。これによって、走行中平らでない面を通った時や使用者が座る姿勢を変えた時に座面が上下運動し、それに伴い可動板が上下運動し、上下二つの空気袋のうちの一つの空気袋が空気を排出し、座面、背もたれ面に空気を送り込むことを最も主要な特徴とする。
【考案の効果】
【０００５】
本考案の椅子の自動空気送込み装置によれば、動力装置を使用することなく、椅子の上下運動を利用して空気を送り込み、通風効果を具えるという利点がある。
【考案を実施するための最良の形態】
【０００６】
（実施例１）
本考案の椅子の自動空気送込み装置の好適な実施例を図面を参照して説明する。
図１，２，３，４に示すとおり、本考案の実施例の自動通気装置１は、椅子２の座面２０に結合して使用し、主に上下二つの伸縮空気袋１０，１１、その二つの伸縮空気袋１１，１２の間に設置する上下可動する可動板１２、可動板１２を復位させるためのバネ１３複数個から構成させる。
そのうち、可動板１２は、椅子２の座面２０下方に連結されて連動体を形成する。但し、連結方法もしくは構造に制限はなく、可動板１２および座面２０を適する高さの範囲内で上下運動する。また、上下の二つの伸縮空気袋１０，１１はそれぞれ上下方向に伸びたり縮んだりする動作を行い、可動板１２の上方、下方に設置する。可動板１２が上下運動すると、上下の二つの空気袋１０，１１は同時に空気が入って大きくなったり、空気が出て小さくなったりという反復運動を行う。
また、上下の二つの空気袋１０，１１上には、それぞれ、(逆止弁機能を有した(図示せず))単方向空気進入口１０１，１１１及び単方向の空気排出口１０２，１１２が具えられ、上下二つの空気袋１０，１１が各々これらの動作を行う。空気袋１０，１１が大きくなった時、空気は空気進入口１０１，１１１から空気袋１０，１１内に入り、また空気袋１０，１１が圧縮されると、空気袋１０，１１内の空気は空気排出口１０２，１１２から排出される。また各空気袋１０，１１の空気排出口１０２，１１２は、連通管３０によって椅子１の座面２０もしくは背もたれ面２１の表面に連通していて、空気袋１０，１１から排出された空気は、座面２０もしくは背もたれ面２１上に予め設置された通気構造から外に排出される。
座面２０、背もたれ面２１の外表面の人と接触する面に空気送込み効果をもたらす。また座面２０もしくは背もたれ面２１上に予め設置する通気構造は多種の設計が考えられ、例としてシート、背もたれのスポンジ体２０１上に通気孔２０２を設置、もしくはスポンジ体２０１外面に通気布（吹込み布）２０３等を設置する等、座面２０もしくは背もたれ面２１がスポンジ体の快適性と通気性具える。但し、これら通気構造は本考案の特徴ではないため、詳述しない。
【０００７】
更に上下二つの空気袋１０，１１、可動板１２及びバネ１３の三者間は良好な組立構造を形成しており、図１，２，３，４に示すとおり、箱型の下フレーム１４が底台となり、その下フレーム１４内部空間に上下二つの空気袋１０，１１及びその中間に可動板１２、上空気袋１０の最上面１０３及び底面１０４は各々下フレーム１４の内最上面１４１及び可動板１２の上板面１２１に固定され、下空気袋１１の最上面１１３及び底面１１４は、各々可動板１２の下板面１２２及び下フレームの内底面１４２上に固定される。また、可動板１２及び下フレーム１４の間は上下向きの案内レール構造１２０によって可動板１２を下フレーム１４内部で上下運動させる。その上下案内レール構造１２０は、可動板１２上に複数個の案内凸１２３を設置し、下フレーム１４上に複数個設置した垂直の案内槽と対応し、案内凸１２３が案内槽１４３内で上下運動する。また、下フレーム１４上方に於いて、複数個の案内凸１２３が積載点となり、コの字型外カバー上フレーム１５を設置し、その上フレーム１５と可動板１２によって連動体を形成し、下フレーム１４に相対して上下運動する。上フレーム１５は、椅子２の座面２０下方に連結し、同時に上下運動する連動体となる。バネ１３は、上フレーム１５と下フレーム１４の間に設置し、それは圧縮式バネとする。座面２０、上フレーム１５及び可動板１２の結合体によってバネ１３が伸縮し、バネ１３の回復力によって復位する。
【０００８】
使用者が椅子２の座面２０に座ると、上下に波動した時、例として一般の車両は、運転時に車体が上下に震動したり、または、使用者が座る位置を移動した時など、座面２０に上下波動が起こり、座面２０、上フレーム１５及び可動板１２の連動体は、下方向へ動いた時、図５に示すとおり、上空気袋１０は伸びて空気が入り、下空気袋１１は圧縮されて空気が排出され、その空気は連通管３０を通して椅子２の座面２０もしくは背もたれ面２１の表面に連通する。座面２０、上フレーム１５及び可動板１２の連動体は、バネ１３によって上方向に動き、図６に示すとおり、下空気袋１１は大きくなり、上空気袋１０は圧縮されて空気が出る。上空気袋１０内部の空気は上空気袋１０の空気排出口１０２から出る。
連通管３０は椅子２の座面２０もしくは背もたれ面２１の表面に連通する。そのため、座面２０が上下波動する度に空気送込み機能が発生し、動力装置を使用することなく、椅子の座面、もしくは、背もたれ面に空気が送込まれ、快適である。
【０００９】
上下二つの空気袋１０、１１に設置された(逆止弁機能を有する)単方向空気進入口１０１、１１１、空気排出口１０２、１１２もしくは連通管３０等の設置方法及び位置に規制はなく、図３，４に示すとおり、露出方式で座面２０もしくは背もたれ面２１に設置される。
【００１０】
（実施例２）
または、図７に示すとおり、収納方式を採用し、下空気袋１１の空気進入口１１１、空気排出口１１２及び連通管３０を最上面１１３から上向きに可動板１２、上空気袋１０及び上フレーム１５を通し、座面２０もしくは背もたれ面２１に連通する。これにより、露出管が減り、空間を縮小する。
【産業上の利用可能性】
【００１１】
また、本考案の自動空気送込み装置１は、各種椅子に設置し、一般車両の椅子、自転車、オフィス椅子等に適用する。また椅子に合わせて、自動空気送込み装置１の大きさを調節することもできる。
【図面の簡単な説明】
【００１２】
【図１】本考案の実施例と椅子を結合した使用外観図である。
【図２】図１の分解図である。
【図３】本考案実施例の立体図である。
【図４】図１の断面図である。
【図５】本考案が下へ移動した時の空気流動指示図である。
【図６】本考案が上へ移動した時の空気流動指示図である。
【図７】本考案の別の実施例の断面図である。
【符号の説明】
【００１３】
１        自動通気装置
１０        上空気袋
１０１        空気進入口
１０２        空気排出口
１０３        最上面
１０４        底面
１１        下空気袋
１１１        空気進入口
１１２        空気排出口
１１３        最上面
１１４        底面
１２        可動板
１２０        案内レール構造
１２１        上板面
１２２        下板面
１２３        案内凸
１３        バネ
１４        下フレーム
１４１        内最上面
１４２        内底面
１４３        案内槽
１５        上フレーム
２        椅子
２０        座面
２０１        スポンジ体
２０２        通気孔
２０３        通気布
２１        背もたれ面
３０        連通管
【図１】
0003113451.tif 000003
【図２】
0003113451.tif 000004
【図３】
0003113451.tif 000005
【図４】
0003113451.tif 000006
【図５】
0003113451.tif 000007
【図６】
0003113451.tif 000008
【図７】
0003113451.tif 000009